(57)【要約】【課題】２つ以上の記録媒体への記録再生手段および暗号化手段および復号化手段をそれぞれ備え、かつバッファメモリが暗号化手段の後段に配置されているデジタル記録再生装置において、電源投入直後やディスク挿入直後の記録開始を可能とする。【解決手段】ＤＶＤ−ＲＷドライブ１０４およびＤＶＤ−ＲＷへ記録するための第１の暗号化手段１０２の準備ができない間は、第２の暗号化手段１０６で暗号化したデジタル映像音声信号データを第２のバッファメモリ１０９に蓄えておき、ＤＶＤ−ＲＷドライブ１０４および第１の暗号化手段１０２の準備が整った後は、第２のバッファメモリ１０９内の暗号化されたデジタル映像音声信号データを第２の復号化手段１０７で暗号を解いた後、さらに第１の暗号化手段１０２で暗号化し、ＤＶＤ−ＲＷへ記録する。【選択図】        図３
2005216346.tif 000002
【特許請求の範囲】
【請求項１】
入力されたデジタル映像音声データを暗号化して第１の暗号化データを出力する第１の暗号化手段と、
上記第１の暗号化データを第１の記録媒体に記録し、その第１の暗号化データを再生する第１の記録再生手段と、
上記第１の暗号化データの暗号を解く第１の復号化手段と、
入力されたデジタル映像音声データを暗号化して第２の暗号化データを出力する第２の暗号化手段と、
上記第２の暗号化データを第２の記録媒体に記録し、その第２の暗号化データを再生する第２の記録再生手段と、
上記第２の暗号化データの暗号を解く第２の復号化手段と、
上記第２の暗号化手段の出力を書き込みすることができ、かつ上記第２の復号化手段がデータの読み出しを行え、かつ第２の記録再生手段がデータの書き込みおよび読み出しを行えるバッファメモリと、
上記第１の記録媒体にデジタル映像音声データの記録を開始する場合に、上記第１の記録再生手段および上記第１の暗号化手段の準備ができるまでは、上記デジタル映像音声データを上記第２の暗号化手段に入力して第２の暗号化データに暗号化し、その第２の暗号化データを上記バッファメモリに順次蓄積させ、上記第１の記録再生手段および上記第１の暗号化手段の準備ができたら、上記バッファメモリに蓄積した第２の暗号化データを順次上記第２の復号化手段によって元のデジタル映像音声データに復号し、その復号したデジタル映像音声データを上記第１の暗号化手段に入力して第１の暗号化データに暗号化し、その第１の暗号化データを上記第１の記録再生手段によって上記第１の記録媒体に記録させる制御手段と
を備えた
ことを特徴とするデジタル記録再生装置。
【請求項２】
入力されたデジタル映像音声データを暗号化して第１の暗号化データを出力する第１の暗号化手段と、
上記第１の暗号化データを第１の記録媒体に記録し、その第１の暗号化データを再生する第１の記録再生手段と、
上記第１の暗号化データの暗号を解く第１の復号化手段と、
入力されたデジタル映像音声データを暗号化して第２の暗号化データを出力するか、入力されたデジタル映像音声データをそのまま出力するかを切り替えられる第２の暗号化手段と、
上記第２の暗号化データを第２の記録媒体に記録し、その第２の暗号化データを再生する第２の記録再生手段と、
入力された上記第２の暗号化データの暗号を解いて出力するか、入力データをそのまま出力するかを切り替えられる第２の復号化手段と、
上記第２の暗号化手段の出力を書き込みすることができ、かつ上記第２の復号化手段がデータの読み出しを行え、かつ第２の記録再生手段がデータの書き込みおよび読み出しを行えるバッファメモリと、
上記第１の記録媒体にデジタル映像音声データの記録を開始する場合に、上記第１の記録再生手段および上記第１の暗号化手段の準備ができるまでは、上記デジタル映像音声データを上記第２の暗号化手段に入力して暗号化せずにそのまま出力し、上記バッファメモリに順次蓄積させ、上記第１の記録再生手段および上記第１の暗号化手段の準備ができたら、上記バッファメモリに蓄積したデジタル映像音声データを順次上記第２の復号化手段に入力してそのまま出力し、そのデジタル映像音声データを上記第１の暗号化手段に入力して第１の暗号化データに暗号化し、その第１の暗号化データを上記第１の記録再生手段によって上記第１の記録媒体に記録させる制御手段と
を備えた
ことを特徴とするデジタル記録再生装置。
【請求項３】
入力されたデジタル映像音声データを暗号化して第１の暗号化データを出力する第１の暗号化手段と、
上記第１の暗号化データを第１の記録媒体に記録し、その第１の暗号化データを再生する第１の記録再生手段と、
上記第１の暗号化データの暗号を解く第１の復号化手段と、
入力されたデジタル映像音声データを暗号化して第２の暗号化データを出力する第２の暗号化手段と、
上記第２の暗号化データを第２の記録媒体に記録し、その第２の暗号化データを再生する第２の記録再生手段と、
上記第２の暗号化データの暗号を解く第２の復号化手段と、
上記第２の暗号化手段の出力を書き込みすることができ、かつ上記第２の復号化手段がデータの読み出しを行え、かつ第２の記録再生手段がデータの書き込みおよび読み出しを行えるバッファメモリと、
上記第１の記録媒体にデジタル映像音声データの記録を開始する場合に、上記第１の記録再生手段および上記第１の暗号化手段の準備ができるまでは、上記デジタル映像音声データを上記第２の暗号化手段に入力して第２の暗号化データに暗号化し、その第２の暗号化データを上記バッファメモリを介して上記第２の記録再生手段によって上記第２の記録媒体に一旦順次記録させ、上記第１の記録再生手段および上記第１の暗号化手段の準備ができたら、上記第２の記録再生手段によって上記第２の記録媒体から上記第２の暗号化データを再生し、その第２の暗号化データを上記バッファメモリを介して順次上記第２の復号化手段に入力して元のデジタル映像音声データに復号し、その復号したデジタル映像音声データを上記第１の暗号化手段に入力して第１の暗号データに暗号化し、その第１の暗号化データを上記第１の記録再生手段によって上記第１の記録媒体に記録させる制御手段と
を備えた
ことを特徴とするデジタル記録再生装置。
【請求項４】
上記制御手段は、上記第１の記録再生手段が上記第１の記録媒体に記録を開始した後は、それ以降に上記第２の暗号化手段から出力される第２の暗号化データの途中からのデータを上記第２の記録媒体に記録せずに上記バッファメモリに順次蓄積させ、上記第２の記録媒体から再生される第２の暗号化データの最後のデータが上記バッファメモリを介して上記第２の復号化手段に入力されるのに連続して、上記バッファメモリに蓄積した上記第２の暗号化データの途中からのデータを上記第２の復号化手段に入力させることを特徴とする請求項３記載のデジタル記録再生装置。
【請求項５】
記録媒体に固有の情報を元に作成した暗号鍵によってデジタル映像音声データを暗号化して暗号化データを出力する暗号化手段と、
挿入された記録媒体からその記録媒体に固有の情報を読み出し、その後その記録媒体に上記暗号化データを記録し、その暗号化データを再生する記録再生手段と、
上記再生された暗号化データの暗号を上記暗号鍵を用いて解く復号化手段と、
上記暗号化手段の出力を書き込みすることができ、かつ上記復号化手段がデータの読み出しを行え、かつ上記記録再生手段がデータの書き込みおよび読み出しを行えるバッファメモリと、
上記記録再生手段によって読み出された上記固有の情報を記憶する情報記憶手段と
を備え、
上記記録再生手段に挿入された記録媒体にデジタル映像音声データの記録を開始する場合に、上記記録再生手段の準備ができずに上記挿入された記録媒体の固有情報を読み出すことができない間は、上記暗号化手段において、前回の記録時に前回の記録媒体から読み出されて上記情報記憶手段に記憶されている前回の記録媒体の固有情報を元に暗号鍵を生成し、その暗号鍵によって上記デジタル映像音声データを暗号化し、その暗号化データを上記バッファメモリに順次蓄積させ、上記挿入された記録媒体の固有情報を読み出せたら、その固有情報と上記前回の記録媒体の固有情報とを比較し、両固有情報が合っていれば、上記バッファメモリに蓄積した暗号化データを上記記録再生手段によって上記挿入された記録媒体に記録させ、両固有情報が合っていなければ、上記バッファメモリに蓄積した暗号化データを破棄する
ことを特徴とするデジタル記録再生装置。
【請求項６】
入力されたデジタル映像音声データを暗号化して第１の暗号化データを出力する第１の暗号化手段と、
上記第１の暗号化データを第１の記録媒体に記録し、その第１の暗号化データを再生する第１の記録再生手段と、
上記第１の暗号化データの暗号を解く第１の復号化手段と、
入力されたデジタル映像音声データを暗号化して第２の暗号化データを出力するか、入力されたデジタル映像音声データをそのまま出力するかを切り替えられる第２の暗号化手段と、
入力されたデータを第２の記録媒体に記録し、再生する第２の記録再生手段と、
上記第２の記録再生手段から入力されたデータの暗号を解いて出力するか、入力データをそのまま出力するかを切り替えられる第２の復号化手段と、
上記第２の暗号化手段の出力を書き込みすることができ、かつ上記第２の復号化手段がデータの読み出しを行えるバッファメモリと、
上記第１の記録媒体にデジタル映像音声データの記録を開始する場合に、上記第１の記録再生手段および上記第１の暗号化手段の準備ができるまでは、上記デジタル映像音声データを上記第２の暗号化手段に入力して暗号化せずにそのまま出力し、さらに上記バッファメモリを介して上記第２の記録再生手段によって上記第２の記録媒体に一旦順次記録させ、上記第１の記録再生手段および上記第１の暗号化手段の準備ができたら、上記第２の記録再生手段によって上記第２の記録媒体に記録した上記デジタル映像音声データを再生し、上記バッファメモリを介して順次上記第２の復号化手段に入力してそのまま出力し、そのデジタル映像音声データを上記第１の暗号化手段に入力して第１の暗号化データに暗号化し、その第１の暗号化データを上記第１の記録再生手段によって上記第１の記録媒体に記録させる制御手段と
を備えた
ことを特徴とするデジタル記録再生装置。
【発明の詳細な説明】
【技術分野】
【０００１】
本発明は、映像音声信号をデジタル信号に変換し、さらに暗号化してハードディスク（Hard Disk：ＨＤ）やＤＶＤ（Digital Versatile Disc）等に記録するデジタル記録再生装置に関するものである。
【背景技術】
【０００２】
映像音声信号をデジタル信号に変換して記録再生を行う装置としては、ＤＶＤレコーダやＨＤレコーダ、さらにはＤＶＤレコーダとＨＤレコーダが一体となったハイブリッド型レコーダなどが一般的である。また、ＤＶＤレコーダには、ＤＶＤ−ＲＷレコーダやＤＶＤ−ＲＡＭレコーダが存在するが、両者ともにＣＰＲＭ（Content Protection for Recordable Media）と呼ばれる著作権保護技術が採用されており、著作権の保護の必要な映像音声信号をデジタル記録する際には、ＤＶＤドライブに挿入されているＤＶＤ（ＤＶＤ-ＲＷ、ＤＶＤ−ＲＡＭ）ごとに固有の情報等を元にＤＶＤの認証を行うとともに、記録するデータを暗号化する暗号鍵（暗号キー）を生成し、その暗号鍵を用いてデジタル化された映像音声信号を暗号化してディスク上に記録するという規格となっている。
【０００３】
また、電源投入直後など媒体への書き込み準備ができていない間に、記録が開始された場合に、記録すべきデジタル映像音声信号をバッファメモリに順次蓄え、書き込み準備ができたらバッファメモリに蓄えておいたデジタル映像音声信号の媒体への書き込みを開始するものがある（特許文献１参照）。
【０００４】
また、記録する際には暗号化手段からの出力のデータの単位と、実際に記録媒体へ記録するデータの単位が若干異なるため、暗号化手段とドライブ（ＤＶＤドライブ、ＨＤＤ）との間にバッファメモリを配置し、ドライブへの記録のタイミングや記録単位を調整しながら、記録を行う構成のデジタル記録再生装置が多い。
【０００５】
【特許文献１】特開２０００−２８５５９０号公報
【発明の開示】
【発明が解決しようとする課題】
【０００６】
しかしながら上記従来のＤＶＤレコーダに代表されるデジタル記録再生装置では、ＤＶＤドライブにＤＶＤを挿入した直後や、電源投入直後に記録を開始しようとしても、ディスクドライブに挿入されているＤＶＤに対するデータの読み出し書き込みの準備が整うまでは、ＤＶＤに固有の情報が得られず、認証および暗号鍵の生成ができないため、デジタル映像音声信号も暗号化を開始することができず、結果としてＤＶＤへの記録も開始できないという問題点があった。
【０００７】
暗号化手段とドライブ（ＤＶＤドライブ、ＨＤＤ）との間にバッファメモリを配置した上記従来のデジタル記録再生装置において、ＣＰＲＭのような暗号化手段を用いた場合には、電源投入直後や記録媒体の挿入直後に記録を開始しようとしても、記録媒体に固有の情報が得られるまでは、暗号化手段を動作させることができないので、データを暗号化できない。すなわち、実際に記録すべきデータを生成することができず、暗号化手段の後段に配置されたバッファメモリへデータを蓄積しておくこともできないため、記録を開始できない。
【０００８】
また、暗号化手段の前段にバッファメモリを配置する構成にすることも考えられるが、バッファメモリが余分に必要となり、装置の構成が複雑となるとともにコストが上がるという問題点がある。
【０００９】
本発明は、このような課題を解決するためになされたものであり、その目的は、バッファメモリが暗号化手段の後段には配置されているが暗号化手段の前段には配置されておらず、電源投入直後や記録媒体の挿入直後に記録を開始しようとしても記録媒体に固有の情報を用いなければ暗号化ができない構成においても、電源投入直後や記録媒体の挿入直後に記録を開始できるデジタル記録再生装置を提供することである。
【課題を解決するための手段】
【００１０】
本発明のデジタル記録再生装置は、
入力されたデジタル映像音声データを暗号化して第１の暗号化データを出力する第１の暗号化手段と、
上記第１の暗号化データを第１の記録媒体に記録し、その第１の暗号化データを再生する第１の記録再生手段と、
上記第１の暗号化データの暗号を解く第１の復号化手段と、
入力されたデジタル映像音声データを暗号化して第２の暗号化データを出力する第２の暗号化手段と、
上記第２の暗号化データを第２の記録媒体に記録し、その第２の暗号化データを再生する第２の記録再生手段と、
上記第２の暗号化データの暗号を解く第２の復号化手段と、
上記第２の暗号化手段の出力を書き込みすることができ、かつ上記第２の復号化手段がデータの読み出しを行え、かつ第２の記録再生手段がデータの書き込みおよび読み出しを行えるバッファメモリと、
上記第１の記録媒体にデジタル映像音声データの記録を開始する場合に、上記第１の記録再生手段および上記第１の暗号化手段の準備ができるまでは、上記デジタル映像音声データを上記第２の暗号化手段に入力して第２の暗号化データに暗号化し、その第２の暗号化データを上記バッファメモリに順次蓄積させ、上記第１の記録再生手段および上記第１の暗号化手段の準備ができたら、上記バッファメモリに蓄積した第２の暗号化データを順次上記第２の復号化手段によって元のデジタル映像音声データに復号し、その復号したデジタル映像音声データを上記第１の暗号化手段に入力して第１の暗号化データに暗号化し、その第１の暗号化データを上記第１の記録再生手段によって上記第１の記録媒体に記録させる制御手段と
を備えたものである。
【発明の効果】
【００１１】
本発明によれば、第１の記録再生手段および第１の暗号化手段の準備ができない間は、デジタル映像音声信号データを第２の暗号化手段で第２の暗号化データに暗号化してバッファメモリに蓄えておき、第１の記録再生手段および第１の暗号化手段の準備ができたら、バッファメモリ内の第２の暗号化データを第２の復号化手段で暗号を解いた後、さらに第１の暗号化手段で第１の暗号化データに暗号化し、第１の記録媒体に記録するので、装置の構成を変更することなく、電源投入直後や記録媒体挿入直後においても記録の開始を実現できるという効果がある。
【発明を実施するための最良の形態】
【００１２】
実施の形態１．
以下の本発明の実施の形態１では、第１の記録媒体がＤＶＤ−ＲＷであり、第２の記録媒体がＨＤであるＤＶＤ−ＲＷレコーダとＨＤレコーダが一体となったハイブリッド型レコーダを例にとって説明する。このようなデジタル記録再生装置において、ＤＶＤ−ＲＷの挿入直後やＤＶＤ−ＲＷドライブの電源投入直後などに、著作権保護の必要な映像音声信号を記録開始する際において、ＤＶＤ−ＲＷに固有の情報をまだ読み取ることができないため、ディスクに固有の情報を元に生成した暗号鍵（暗号キー）によってデジタル映像情報信号を暗号化する暗号化手段が動作を開始できず、ＤＶＤ−ＲＷへの記録を開始できないような場合にも、外からの見かけ上は問題なく記録開始を行えるデジタル記録再生装置を実現した。
【００１３】
図１は本発明の実施の形態１のデジタル記録再生装置のブロック構成図である。図１に示すデジタル記録再生装置は、アナログ映像情報信号をＭＰＥＧ圧縮してデジタル映像音声信号に変換するＭＰＥＧエンコーダ１０１と、ＤＶＤ−ＲＷドライブ１０４に挿入されたディスクに固有の情報から暗号鍵を生成して、入力信号を暗号化して出力する第１の暗号化手段１０２と、暗号化された入力信号の暗号を上記暗号鍵によって解く第１の復号化手段１０３と、ＤＶＤ−ＲＷへの記録再生を行うＤＶＤ−ＲＷドライブ１０４と、ＤＶＤ−ＲＷドライブ１０４と第１の暗号化手段１０２および第１の復号化手段１０３間のデータ送受信のタイミングを調整する第１のバッファメモリ１０５と、入力信号を暗号化する第２の暗号化手段１０６と、第２の暗号化手段１０６で暗号化されたデータの暗号を解く第２の復号化手段１０７と、ハードディスク（ＨＤ）に記録再生を行うＨＤＤ１０８と、ＨＤＤ１０８と第２の暗号化手段１０６および第２の復号化手段１０７間のデータ送受信のタイミング調整を行う第２のバッファメモリ１０９と、ＭＰＥＧ圧縮されたデジタル映像音声信号をアナログ映像音声信号に復調するＭＰＥＧデコーダ１１０と、ＭＰＥＧエンコーダ１０１および第１の暗号化手段１０２および第１の復号化手段１０３および第２の暗号化手段１０６および第２の復号化手段１０７およびＭＰＥＧデコーダ１１０の入力と出力を任意に接続するマトリックススイッチ１０２とを備えている。なお、著作権保護が必要なＤＶＤ−ＲＷへの記録・再生を行う場合、ＣＰＲＭ規格での暗号化・復号化を行うことが必須であり、第１の暗号化手段１０２および第１の復号化手段１０３はＣＰＲＭ規格にしたがって暗号化および復号化を行う。
【００１４】
マトリックススイッチ１２０は入力と出力を任意に切り替えることにより、ＨＤＤ１０８とＤＶＤ−ＲＷドライブ１０４を独立して記録再生させることや、ＨＤＤ１０８からＤＶＤ−ＲＷドライブ１０４へのダビングなどを実現している。例えば、ＨＤＤ１０８への記録とＤＶＤ−ＲＷドライブ１０４からの再生を同時に行う場合、ＭＰＥＧエンコーダ１０１の出力と第２の暗号化手段１０６の入力を接続し、第１の復号化手段１０３の出力とＭＰＥＧデコーダ１１０の入力とを接続する。また、ＨＤＤ１０８へ記録しておいたデジタル映像情報信号をＤＶＤ−ＲＷドライブ１０４へダビングする場合には、第２の復号化手段１０７の出力と第１の暗号化手段１０３の入力を接続してダビングを実現する。
【００１５】
このマトリックススイッチ１２０は、第１の暗号化手段１０２，第１の復号化手段１０３，ＤＶＤ−ＲＷドライブ１０４，第２の暗号化手段１０６，第２の復号化手段１０７の動作を制御して、デジタル記録再生装置の記録動作（例えば、図４に示す記録手順）および再生動作を制御する。
【００１６】
ＤＶＤ−ＲＷドライブ１０４に挿入したＤＶＤ−ＲＷへの通常の記録時には、マトリックススイッチ１２０においては、ＭＰＥＧエンコーダ１０１の出力と第１の暗号化手段１０２の出力とを接続する。そして、ＭＰＥＧエンコーダ１０１において、DVD Video RecordingフォーマットにしたがってＭＰＥＧ圧縮されたデジタル映像音声信号データが生成されるが、その際、ＭＰＥＧエンコーダ１０１では、入力されたアナログ映像音声信号が著作権保護の必要があるかどうかを、例えばＮＴＳＣ方式の信号では、入力されたアナログ映像音声信号のＶＢＩ（Vertical Blanking Interval，垂直帰線期間）のライン２０で伝送される２ビットのＣＧＭＳ−Ａ（Copy Generation Management System-Analog）情報にて判別する。図２にＣＧＭＳ−Ａの定義を示す。（１，０）であれば著作権保護の必要があるため、ＤＶＤ−ＲＷへは暗号化して記録しなければならず、（０，０）であれば、コピーは許されている信号であるため、必ずしも暗号化して記録する必要はない。（１，１）の場合には、ＤＶＤ−ＲＷへの記録自体が許されないため、記録は行わないようにする。なお、（０，１）は未定義である。
【００１７】
こうして、ＣＧＭＳ−Ａが（１，０）の場合には、ＭＰＥＧエンコーダ１０１では、エンコードするデジタル映像音声信号データ中のDVD Video Recordingフォーマットで定義されるVideo PackやAudio Pack中に含まれるPes Scrambling Bitをセットしておく。第１の暗号化手段１０２ではこのPes Scrambling Bitを判別して暗号化するか否かを切り替えることとなる。以下すべての説明は、ＣＧＭＳ−Ａが（１，０）すなわち著作権保護の必要なデジタル映像音声信号データの記録について説明する。
【００１８】
第１の暗号化手段１０２では、ＤＶＤ−ＲＷドライブ１０４に挿入されているＤＶＤ−ＲＷに固有の情報からディスクとドライブ間の認証を行うとともに、入力されたデジタル映像音声信号データのVideo PackやAudio Pack中に含まれるPes Scrambling Bitがセットされていたならば、ＤＶＤ−ＲＷに固有の情報を元に暗号鍵を生成し、その暗号鍵を用いて入力されたデジタル映像音声信号を暗号化する（以下、この第１の暗号化手段１０２で暗号化されたデジタル映像音声信号を第１の暗号化データと呼ぶ）。第１の暗号化データは第１のバッファメモリ１０５に送られて、ＤＶＤ−ＲＷドライブ１０４への転送タイミングを調整しながら転送し、ＤＶＤ−ＲＷドライブ１０４において、ＤＶＤ−ＲＷへ書き込まれる。なお、認証方法や暗号化の際に必要なＤＶＤ−ＲＷに固有な情報の種類や暗号鍵の生成方法や暗号化方法などは、ＣＰＲＭの規格にしたがうものとし、ここでは説明を省略する。
【００１９】
第１のバッファメモリ１０５は、第１の暗号化手段１０２とＤＶＤ−ＲＷドライブ１０４間、および第１の復号化手段１０３とＤＶＤ−ＲＷドライブ１０４間のデータの送受信タイミングを調整することが通常の機能であり、第２のバッファメモリ１０９も同様に、第２の暗号化手段１０６および第２の復号化手段１０７とＨＤＤ１０８間のデータの送受信タイミングを調整することが通常の機能である。
【００２０】
こうして、映像音声信号がデジタル圧縮され、さらには暗号化されてＤＶＤ−ＲＷへ書き込まれることとなる。
【００２１】
ただし、ＤＶＤ−ＲＷドライブ１０４にＤＶＤ−ＲＷを挿入した直後には、ＤＶＤ−ＲＷドライブ１０４にて、挿入されたＤＶＤ−ＲＷの情報を読み取ったり、ＤＶＤ−ＲＷにデータを書き込んだりできる準備が整うまで、一般的に１０秒以上の時間がかかる。ディスクの種別の判別や、ディスク回転のサーボやディスクへデータを読み書きする光ヘッドのトラッキングのサーボを安定させるために時間を要するためである。その間に装置の記録開始ボタン（図示せず）を押された場合、上記理由によりＤＶＤ−ＲＷドライブ１０４の準備ができず、またディスクに固有の情報を得られないので、第１の暗号化手段１０２も動作させることができず、記録開始をすることができない。
【００２２】
図３に実施の形態１のデジタル記録再生装置の動作を説明するブロック図を示す。ＤＶＤ−ＲＷドライブ１０４にてＤＶＤ−ＲＷへのデジタル映像情報信号の記録を行うためには、マトリックススイッチ１２０内の接続を、通常ＭＰＥＧエンコーダ１０１の出力と第１の暗号化手段１０２の入力とを接続すればよいが、実施の形態１においては、ＭＰＥＧエンコーダ１０１の出力と第２の暗号化手段１０６の入力を接続し、さらには、第２の復号化手段１０７の出力と第１の暗号化手段１０２の入力とを接続する。
【００２３】
次に動作を説明する。図４は本発明の実施の形態１においての記録開始時のフローチャートである。ＤＶＤ−ＲＷドライブ１０４にＤＶＤ−ＲＷを挿入した直後に、ステップ３０１にて装置の記録開始ボタン（図示せず）が押されると、ステップ３０２に移り、ＭＰＥＧエンコーダ１０１では入力されたアナログ映像音声信号をDVD Video RecordingフォーマットにしたがってＭＰＥＧ圧縮する動作を開始し、デジタル映像音声信号データとして第２の暗号化手段１０６へ出力する。ステップ３０３において、第２の暗号化手段１０６が動作を開始し、順次入力されるデジタル映像音声信号データを暗号化されたデジタル映像音声信号（以下、この第２の暗号化手段１０６で暗号化されたデジタル映像音声信号を第２の暗号化データと呼ぶ）へと順次暗号化を施していく。次にステップ３０４において、第２の暗号化手段１０６から出力された第２の暗号化データが第２のバッファメモリ１０９へ蓄積されていく。
【００２４】
ただし、この時点ではＤＶＤ−ＲＷ挿入直後のため、ＤＶＤ−ＲＷの情報をまだ読み取ることができない。したがって、ＤＶＤ−ＲＷごとに固有の情報を元に動作する第１の暗号化手段１０２も動作していない状態である。そこで、ステップ３０５において、ＤＶＤ−ＲＷドライブ１０４の準備が整い、挿入されたＤＶＤ−ＲＷに固有の情報が読み取れたかどうかを判別する。まだＤＶＤ−ＲＷの情報が読み取れなければ、ステップ３０６に移り、読み取れたならばステップ３０７に移る。ステップ３０６では、あらかじめ設定しておいた一定時間を越えてタイムアウトしても読み取れなかった場合には、異常なディスクなどが挿入された可能性があるため、記録動作を終了する。タイムアウトしていない場合にはステップ３０５に移り、引き続きＤＶＤ−ＲＷの情報を読み取れたかどうかの判別を継続する。
【００２５】
ステップ３０７では、第２のバッファメモリ１０９へ順次蓄積している第２の暗号化データを第２の復号化手段１０７へ転送を開始する。次にステップ３０８へ移り、第２の復号化手段１０７の動作を開始し、順次入力される第２の暗号化データの暗号を解いて、元のデジタル映像音声信号データに順次復号し、マトリックススイッチ１２０を介して、第１の暗号化手段１０２へ出力する。
【００２６】
次にステップ３０９においては、挿入されたＤＶＤ−ＲＷから得られたディスクに固有な情報を元に生成された暗号鍵を第１の暗号化手段１０２にセットし、順次入力されるデジタル映像音声信号データを第１の暗号化データへと順次暗号化していく。次にステップ３１０に移り、第１の暗号化データは第１のバッファメモリ１０５を介して、ＤＶＤ−ＲＷドライブ１０４におけるＤＶＤ−ＲＷへの書き込みタイミングを調整してＤＶＤ−ＲＷドライブ１０４へと入力され、ＤＶＤ−ＲＷに記録されていく。
【００２７】
なお、第２のバッファメモリ１０９の大きさは、記録ボタンが押されてから上記一連のステップを経て、実際に第１の暗号化データがＤＶＤ−ＲＷに記録開始されるまでの間、第２の暗号化データを蓄積し続けるのに十分大きな容量とする。例えば、ＭＰＥＧエンコーダ１０１が４メガビット毎秒（以降４Ｍｂｐｓと記す）のビットレートでデジタル映像音声信号データを生成し、記録ボタンを押されてから実際にＤＶＤ−ＲＷに記録を開始するまでに２０秒かかるとすれば、
４Ｍｂｐｓ×２０秒＝８０メガビット
の容量の第２のバッファメモリ１０９を配置すればよい。
【００２８】
また、第２の暗号化手段１０６および第２の復号化手段１０７に用いる暗号鍵はＤＶＤ−ＲＷ側と同様にＨＤＤ１０８に固有の情報を元に生成してもよいし、他の方法によっても構わないので、ここでは、具体的説明を省略する。
【００２９】
こうして、ＤＶＤ−ＲＷドライブ１０４へＤＶＤ−ＲＷを挿入された直後に記録開始された場合にでも、記録可能な装置を実現する。
【００３０】
以上説明したように実施の形態１によれば、２つの記録媒体（ＤＶＤ−ＲＷ，ＨＤ）についての２つの記録再生手段（ＤＶＤ−ＲＷドライブ１０４，ＨＤＤ１０８）および２つの暗号化手段（第１の暗号化手段１０２，第２の暗号化手段１０６）および２つの復号化手段（第１の復号化手段１０３，第２の復号化手段１０７）をそれぞれ備え、２つのバッファメモリ（第１のバッファメモリ１０５，第２のバッファメモリ１０９）がそれぞれ上記暗号化手段の後段に配置されているデジタル記録再生装置（ＤＶＤレコーダとＨＤＤが一体となったハイブリッド型レコーダ）において、ＤＶＤ−ＲＷドライブ１０４および第１の暗号化手段１０２の準備ができない間は、デジタル映像音声信号データを第２の暗号化手段１０６で第２の暗号化データに暗号化して第２のバッファメモリ１０９に蓄えておき、ＤＶＤ−ＲＷドライブ１０４および第１の暗号化手段１０２の準備ができたら、第２のバッファメモリ１０９内の第２の暗号化データを第２の復号化手段１０７で暗号を解いた後、さらに第１の暗号化手段１０２で第１の暗号化データに暗号化し、ＤＶＤ−ＲＷに記録するので、装置の構成を変更することなく、電源投入直後や記録媒体挿入直後においても記録の開始を実現できる。
【００３１】
実施の形態２．
以下に説明する本発明の実施の形態２は、上記実施の形態１において、第２の暗号化手段１０６が入力信号を暗号化することなくそのまま出力することが可能で、かつ第２の復号化手段１０７も暗号を解くことをせず入力信号をそのまま出力することが可能である場合に、そのように動作させて使用するものである。その他の動作は上記実施の形態１と同じであるため、説明を省略する。
【００３２】
次に動作を説明する。図５は本発明の実施の形態２においての記録開始時のフローチャートである。ステップ４０１およびステップ４０２以外は上記実施の形態１の場合と同じである。ＤＶＤ−ＲＷドライブ１０４にＤＶＤ−ＲＷを挿入した直後に、ステップ３０１にて装置の記録開始ボタン（図示せず）が押されると、ステップ３０２に移り、ＭＰＥＧエンコーダ１０１では入力されたアナログ映像音声信号をDVD Video RecordingフォーマットにしたがってＭＰＥＧ圧縮動作を開始し、デジタル映像音声信号データとして第２の暗号化手段１０６へ出力する。ステップ４０１において、第２の暗号化手段１０６は入力されたデジタル映像音声信号に対して暗号化を施すことなくスルーして、第２のバッファメモリ１０９へ出力する。次にステップ３０４において、第２の暗号化手段１０６から出力されたデジタル映像音声信号が順次第２のバッファメモリ１０９へ蓄積されていく。
【００３３】
ただし、この時点ではＤＶＤ−ＲＷ挿入直後のため、ＤＶＤ−ＲＷの情報をまだ読み取ることができない。したがって、ＤＶＤ−ＲＷごとに固有の情報を元に動作する第１の暗号化手段１０２も動作していない状態である。そこで、ステップ３０５において、ＤＶＤ−ＲＷドライブ１０４の準備が整い、挿入されたＤＶＤ−ＲＷに固有の情報が読み取れたかどうかを判別する。まだＤＶＤ−ＲＷの情報が読み取れなければ、ステップ３０６に移り、読み取れたならばステップ３０７に移る。ステップ３０６では、あらかじめ設定しておいた一定時間を越えてタイムアウトしても読み取れなかった場合には、異常なディスクなどが挿入された可能性があるため、記録動作を終了する。タイムアウトしていない場合にはステップ３０５に移り、引き続きＤＶＤ−ＲＷの情報を読み取れたかどうかの判別を継続する。
【００３４】
ステップ３０７では、第２のバッファメモリ１０９へ順次蓄積している第２の暗号化データを第２の復号化手段１０７へ転送を開始する。次にステップ４０２へ移り、第２の復号化手段１０７は順次入力されるデジタル映像音声信号データをなにも加工せず、そのままスルーしてマトリックススイッチ１２０を介して、第１の暗号化手段１０２へ出力するようにする。
【００３５】
次にステップ３０９においては、挿入されたＤＶＤ−ＲＷから得られたディスクに固有な情報を元に生成された暗号鍵を第１の暗号化手段１０２にセットし、順次入力されるデジタル映像音声信号データを第１の暗号化データへと順次暗号化していく。次にステップ３１０に移り、第１の暗号化データは第１のバッファメモリ１０５を介して、ＤＶＤ−ＲＷドライブ１０４におけるＤＶＤ−ＲＷへの書き込みタイミングを調整してＤＶＤ−ＲＷドライブ１０４へと入力され、ＤＶＤ−ＲＷに記録されていく。
【００３６】
なお、この場合も、第２のバッファメモリ１０９の大きさは、記録ボタンが押されてからから上記一連のステップを経て、実際に第１の暗号化データがＤＶＤ−ＲＷに記録開始されるまでの間、第２の暗号化データを蓄積し続けるのに十分大きな容量とする。
【００３７】
また、第２の暗号化手段１０６および第２の復号化手段１０７に用いる暗号鍵はＤＶＤ−ＲＷ側と同様にＨＤに固有の情報を元に生成してもよいし、他の方法によっても構わないので、ここでは、具体的説明を省略する。
【００３８】
こうして、ＤＶＤ−ＲＷドライブ１０４へＤＶＤ−ＲＷを挿入された直後に記録開始された場合にでも、記録可能な装置を実現する。
【００３９】
以上説明したように実施の形態２によれば、２つの記録媒体（ＤＶＤ−ＲＷ，ＨＤ）についての２つの記録再生手段（ＤＶＤ−ＲＷドライブ１０４，ＨＤＤ１０８）および２つの暗号化手段（第１の暗号化手段１０２，第２の暗号化手段１０６）および２つの復号化手段（第１の復号化手段１０３，第２の復号化手段１０７）をそれぞれ備え、２つのバッファメモリ（第１のバッファメモリ１０５，第２のバッファメモリ１０９）がそれぞれ上記暗号化手段の後段に配置されているデジタル記録再生装置（ＤＶＤレコーダとＨＤＤが一体となったハイブリッド型レコーダ）において、ＤＶＤ−ＲＷドライブ１０４および第１の暗号化手段１０２の準備ができない間は、デジタル映像音声信号データを第２の暗号化手段１０６で暗号化せずにそのまま第２の暗号化手段１０６をスルーして第２のバッファメモリ１０９に蓄えておき、ＤＶＤ−ＲＷドライブ１０４および第１の暗号化手段１０２の準備ができたら、第２のバッファメモリ１０９内のデジタル映像音声信号データを第２の復号化手段１０７で復号せずに第２の復号化手段１０７をそのままスルーして第１の暗号化手段１０２に入力し、さらに第１の暗号化手段１０２で第１の暗号化データに暗号化し、ＤＶＤ−ＲＷに記録するので、装置の構成を変更することなく、電源投入直後や記録媒体挿入直後においても記録の開始を実現できる。
【００４０】
実施の形態３．
以下に説明する本発明の実施の形態３は、上記実施の形態１において、第２のバッファメモリ１０９の容量を削減するため、記録を開始されてから、ＤＶＤ−ＲＷドライブ１０４において書き込みを開始できる準備が整うまでの間に、上記第２の暗号化データをＨＤＤ１０８においてＨＤに記録して蓄積するものであり、より安価に装置を実現することができる。
【００４１】
実施の形態３のデジタル記録再生装置の構成は図１および図３の上記実施の形態１のデジタル記録再生装置と同じであるが、第２のバッファメモリ１０９内部を、第２の暗号化手段１０６からの入力データを一時蓄積する第１の領域と、ＨＤＤ１０８からの入力データを一時蓄積する第２の領域とに仮想的に分割しておく。
【００４２】
次に動作を説明する。図６は本発明の実施の形態３においての記録開始時のフローチャートである。ステップ５０１およびステップ５０２以外は上記実施の形態１の場合と同じである。ＤＶＤ−ＲＷドライブ１０４にＤＶＤ−ＲＷを挿入した直後に、ステップ３０１にて装置の記録開始ボタン（図示せず）が押されると、ステップ３０２に移り、ＭＰＥＧエンコーダ１０１では入力されたアナログ映像音声信号をDVD Video RecordingフォーマットにしたがってＭＰＥＧ圧縮を行い、デジタル映像音声信号データとして第２の暗号化手段１０６へ出力する。ステップ３０３において、第２の暗号化手段１０６が動作を開始し、順次入力されるデジタル映像音声信号データを暗号化されたデジタル映像音声信号（以下、第２の暗号化データと呼ぶ）へと順次暗号化を施していく。次にステップ５０１において、第２の暗号化手段１０６から出力された第２の暗号化データが第２のバッファメモリ１０９へ入力される。
【００４３】
このとき、第２のバッファメモリ１０９の内部を、第２の暗号化手段１０６からの入力データを一時蓄積する第１の領域と、ＨＤＤ１０８からの入力データを一時蓄積する第２の領域とに仮想的に分割しておくので、第２の暗号化手段１０６からの入力データとＨＤＤ１０８からの入力データが混ざり合うことはない。こうして、第２のバッファメモリ１０９の第１の領域に書き込まれた第２の暗号化データは、ＨＤＤ１０８へのデータ転送タイミングを調整して、ＨＤＤ１０８に転送され蓄積されていく。
【００４４】
ただし、この時点ではＤＶＤ−ＲＷ挿入直後のため、ＤＶＤ−ＲＷの情報をまだ読み取ることができない。したがって、ＤＶＤ−ＲＷごとに固有の情報を元に動作する第１の暗号化手段１０２も動作していない状態である。そこで、ステップ３０５において、ＤＶＤ−ＲＷドライブ１０４の準備が整い、挿入されたＤＶＤ−ＲＷに固有の情報が読み取れたかどうかを判別する。まだＤＶＤ−ＲＷの情報が読み取れなければ、ステップ３０６に移り、読み取れたならばステップ５０２に移る。ステップ３０６では、あらかじめ設定しておいた一定時間を越えてタイムアウトしても読み取れなかった場合には、異常なディスクなどが挿入された可能性があるため、記録動作を終了する。タイムアウトしていない場合にはステップ３０５に移り、引き続きＤＶＤ−ＲＷの情報を読み取れたかどうかの判別を継続する。
【００４５】
ステップ５０２では、ＨＤＤ１０８へ順次蓄積している第２の暗号化データを、第２のバッファメモリ１０９の第２の領域を介してデータ転送のタイミングを調整しながら、第２の復号化手段１０７へ転送を開始する。次にステップ３０８へ移り、第２の復号化手段１０７の動作を開始し、順次入力される第２の暗号化データの暗号を解いて、元のデジタル映像音声信号データに順次復号し、マトリックススイッチ１２０を介して、第１の暗号化手段１０２へ出力する。
【００４６】
次にステップ３０９においては、挿入されたＤＶＤ−ＲＷから得られたディスクに固有な情報を元に生成された暗号鍵を第１の暗号化手段１０２にセットし、順次入力されるデジタル映像音声信号データを第１の暗号化データへと順次暗号化していく。次にステップ３１０に移り、第１の暗号化データは第１のバッファメモリ１０５を介して、ＤＶＤ−ＲＷドライブ１０４におけるＤＶＤ−ＲＷへの書き込みタイミングを調整してＤＶＤ−ＲＷドライブ１０４へと入力され、ＤＶＤ−ＲＷに記録されていく。
【００４７】
なお、第２のバッファメモリ１０９の大きさは、第２の暗号化手段１０６とＨＤＤ１０８とのデータ転送のタイミング調整が行える程度の大きさでよく、上記実施の形態１と比較して非常に小さい容量でも構わない。
【００４８】
また、第２の暗号化手段１０６および第２の復号化手段１０７に用いる暗号鍵はＤＶＤ−ＲＷ側と同様にＨＤに固有の情報を元に生成してもよいし、他の方法によっても構わないので、ここでは、具体的説明を省略する。また、第２の暗号化手段１０６が入力信号を暗号化することなくそのまま出力することが可能で、かつ第２の復号化手段１０７も暗号を解くことをせず入力信号をそのまま出力することが可能である場合、第２の暗号化手段においては入力されたデジタル映像音声データを暗号化せずそのまま出力し、第２の復号化手段においても同様に入力されたデジタル映像音声データをそのまま出力する構成としてもよい。
【００４９】
こうして、バッファメモリ容量を増加させることなく、ＤＶＤ−ＲＷドライブ１０４へＤＶＤ−ＲＷを挿入された直後に記録開始された場合にでも、記録可能な装置を実現できる。
【００５０】
以上のように実施の形態３によれば、２つの記録媒体（ＤＶＤ−ＲＷ，ＨＤ）についての２つの記録再生手段（ＤＶＤ−ＲＷドライブ１０４，ＨＤＤ１０８）および２つの暗号化手段（第１の暗号化手段１０２，第２の暗号化手段１０６）および２つの復号化手段（第１の復号化手段１０３，第２の復号化手段１０７）をそれぞれ備え、２つのバッファメモリ（第１のバッファメモリ１０５，第２のバッファメモリ１０９）がそれぞれ上記暗号化手段の後段に配置されているデジタル記録再生装置（ＤＶＤレコーダとＨＤＤが一体となったハイブリッド型レコーダ）において、ＤＶＤ−ＲＷドライブ１０４および第１の暗号化手段１０２の準備ができない間は、デジタル映像音声信号データを第２の暗号化手段１０６で第２の暗号化データに暗号化してＨＤに一旦記録しておき、ＤＶＤ−ＲＷドライブ１０４および第１の暗号化手段１０２の準備ができたら、ＨＤ内の第２の暗号化データを第２の復号化手段１０７で暗号を解いた後、さらに第１の暗号化手段１０２で第１の暗号化データに暗号化し、ＤＶＤ−ＲＷに記録するので、装置の構成を変更することなく、電源投入直後や記録媒体挿入直後においても記録の開始を実現できる。また、大きなバッファメモリを必要としないため、バッファメモリ容量も増加させる必要がなく、装置のコストを抑えることができる。なお、第２の暗号化手段１０６が入力信号を暗号化することなくそのまま出力することが可能で、かつ第２の復号化手段１０７も暗号を解くことをせず入力信号をそのまま出力することが可能である場合には、ＤＶＤ−ＲＷドライブ１０４および第１の暗号化手段１０２の準備ができない間は、デジタル映像音声信号データを第２の暗号化手段１０６に入力して暗号化せずにそのまま出力し、さらに第２のバッファメモリ１０９を介してＨＤＤ１０８によってＨＤに一旦順次記録しておき、ＤＶＤ−ＲＷドライブ１０４および第１の暗号化手段１０２の準備ができたら、ＨＤＤ１０８によって上記ＨＤに記録した上記暗号化していないデジタル映像音声信号データを再生し、第２のバッファメモリ１０９を介して第２の復号化手段１０７に入力してそのまま出力し、さらに第１の暗号化手段１０２で第１の暗号化データに暗号化し、ＤＶＤ−ＲＷに記録することも可能である。
【００５１】
実施の形態４．
以下に説明する本発明の実施の形態４は、上記実施の形態３において、ＤＶＤ−ＲＷドライブ１０４でＤＶＤ−ＲＷへの記録の準備ができた後は、第２の暗号化データのＨＤへの蓄積を停止し、バッファメモリ１０９に蓄積するものである。実施の形態４のデジタル記録再生装置の構成は図１および図３の上記実施の形態１の場合と同じである。マトリックススイッチ１２０の接続も同じである。ただし、第２のバッファメモリ１０９内部を、第２の暗号化手段１０６からの入力データを一時蓄積する第１の領域と、ＨＤＤ１０８からの入力データを一時蓄積する第２の領域とに仮想的に分割しておく。
【００５２】
次に動作を説明する。図７は本発明の実施の形態４においての記録開始時のフローチャートである。ステップ６０１およびステップ６０２およびステップ６０３以外は上記実施の形態３の場合と同じである。ＤＶＤ−ＲＷドライブ１０４にＤＶＤ−ＲＷを挿入した直後に、ステップ３０１にて装置の記録開始ボタン（図示せず）が押されると、ステップ３０２に移り、ＭＰＥＧエンコーダ１０１では入力されたアナログ映像音声信号をDVD Video RecordingフォーマットにしたがってＭＰＥＧ圧縮を行い、デジタル映像音声信号データとして第２の暗号化手段１０６へ出力する。ステップ３０３において、第２の暗号化手段１０６が動作を開始し、順次入力されるデジタル映像音声信号データを暗号化されたデジタル映像音声信号（以下、第２の暗号化データと呼ぶ）へと順次暗号化を施していく。次にステップ５０１において、第２の暗号化手段１０６から出力された第２の暗号化データが第２のバッファメモリ１０９の第１の領域へ入力される。
【００５３】
このとき、第２のバッファメモリ１０９の内部を、第２の暗号化手段１０６からの入力データを一時蓄積する第１の領域と、ＨＤＤ１０８からの入力データを一時蓄積する第２の領域とに仮想的に分割しておくので、第２の暗号化手段１０６からの入力データとＨＤＤ１０８からの入力データが混ざり合うことはない。こうして、第１の領域に書き込まれた第２の暗号化データは、ＨＤＤ１０８へのデータ転送タイミングを調整して、ＨＤＤ１０８に転送され蓄積されていく。
【００５４】
ただし、この時点ではＤＶＤ−ＲＷ挿入直後のため、ＤＶＤ−ＲＷの情報をまだ読み取ることができない。したがって、ＤＶＤ−ＲＷごとに固有の情報を元に動作する第１の暗号化手段１０２も動作していない状態である。そこで、ステップ３０５において、ＤＶＤ−ＲＷドライブ１０４の準備が整い、挿入されたＤＶＤ−ＲＷに固有の情報が読み取れたかどうかを判別する。まだＤＶＤ−ＲＷの情報が読み取れなければ、ステップ３０６に移り、読み取れたならばステップ５０２に移る。ステップ３０６では、あらかじめ設定しておいた一定時間を越えてタイムアウトしても読み取れなかった場合には、異常なディスクなどが挿入された可能性があるため、記録動作を終了する。タイムアウトしていない場合にはステップ３０５に移り、引き続きＤＶＤ−ＲＷの情報を読み取れたかどうかの判別を継続する。
【００５５】
ステップ５０２では、ＨＤＤ１０８へ順次蓄積している第２の暗号化データを、第２のバッファメモリ１０９の第２の領域を介してデータ転送のタイミングを調整しながら、第２の復号化手段１０７へ転送を開始する。次にステップ６０１へ移り、第２のバッファメモリ１０９の第１の領域からＨＤＤ１０８への第２の暗号化データの転送を停止し、以降のデータは第２のバッファメモリ１０９の第１の領域へと蓄積するように変更する。
【００５６】
次にステップ３０８へ移り、第２の復号化手段１０７の動作を開始し、順次入力される第２の暗号化データの暗号を解いて、元のデジタル映像音声信号データに順次復号し、マトリックススイッチ１２０を介して、第１の暗号化手段１０２へ出力する。
【００５７】
次にステップ３０９においては、挿入されたＤＶＤ−ＲＷから得られたディスクに固有な情報を元に生成された暗号鍵を第１の暗号化手段１０２にセットし、順次入力されるデジタル映像音声信号データを第１の暗号化データへと順次暗号化していく。次にステップ３１０に移り、第１の暗号化データは第１のバッファメモリ１０５を介して、ＤＶＤ−ＲＷドライブ１０４におけるＤＶＤ−ＲＷへの書き込みタイミングを調整してＤＶＤ−ＲＷドライブ１０４へと入力され、ＤＶＤ−ＲＷに記録されていく。
【００５８】
次にステップ６０２へ移り、第２の復号化手段１０７へまだ転送されていない第２の暗号化データの残りが、ＨＤＤ１０８および第２のバッファメモリ１０９の第２の領域に残っているかどうかを判別し、残っていればステップ６０２での判別を継続し、残っていなければ以降の第２の復号化手段１０７へ出力するデータは第２のバッファメモリ１０９の第１の領域から出力するように変更して、さらにステップ６０３においてＨＤＤ１０８の動作を停止する。
【００５９】
なお、第２のバッファメモリ１０９の第１の領域の大きさは、記録ボタンが押されてからから上記一連のステップを経て、実際に第１の暗号化データがＤＶＤ−ＲＷに記録開始された時点でＨＤに蓄積されていた第２の暗号化データが、すべて第２のバッファメモリ１０９の第２の領域へと転送されてしまうまでの間、続きの第２の暗号化データを蓄積し続けるのに十分な容量とする。例えば、ＭＰＥＧエンコーダ１０１で生成されるデジタル映像音声信号データのビットレートが４Ｍｂｐｓであり、ＨＤＤ１０８においての読み出しからＤＶＤ−ＲＷドライブ１０４においての書き込みまでの一連の処理速度が１６Ｍｂｐｓであった場合、記録ボタンが押されてからＤＶＤ−ＲＷに記録開始されるまで２０秒かかるとすると、ＨＤには、
４Ｍｂｐｓ×２０秒＝８０メガビット
の第２の暗号化データが蓄積されており、記録が開始されてからは、
８０メガビット／１６Ｍｂｐｓ＝５秒
でＨＤ内のデータは転送されてしまうことになる。したがって、第２のバッファメモリ１０９の第２の領域の大きさは、
４Ｍｂｐｓ×５秒＝２０メガビット
ということになる。
近年記録データの最大ビットレートに対して倍速以上の読み込み書き込みが可能なＨＤＤやＤＶＤ−ＲＷドライブは一般的であるため、第２のバッファメモリ１０９の容量をあまり増加させる必要なく実現可能である。
【００６０】
上記で説明したような、ＨＤＤ１０８においての読み出しからＤＶＤ−ＲＷドライブ１０４においての書き込みまでの一連の処理速度が、デジタル映像音声信号のビットレートの２倍である場合の、ＨＤＤ１０８内部および第２のバッファメモリ１０９内部でのデータ蓄積過程の概略説明図を図８に示す。
【００６１】
まず図８（ａ）に示すように、第１の暗号化手段１０２が動作開始するまでは、第２のバッファメモリ１０９の第１の領域を介して順次第２の暗号化データがＨＤに記録されていく。図８（ａ）において、Ｄａｔａ１，…，Ｄａｔａ１００はＨＤへの記録単位となるデータを示し、１から１００番目までの記録単位の第２の暗号化データがＨＤにすでに記録されており、１０１番目から１１０番目までの記録単位の第２の暗号化データが第２のバッファメモリ１０９の第１の領域内にバッファされている。
【００６２】
次に、ＤＶＤ−ＲＷから情報を読み取られるようになると、ＨＤＤ１０８から第２のバッファメモリ１０９の第２の領域への転送は継続するとともに、ＨＤＤ１０８においての記録を停止するので、しばらく経つと図８（ｂ）に示すように、ＨＤＤ１０８内のＨＤにはＤａｔａ２１からＤａｔａ１００のデータが残り、第２のバッファメモリ１０９の第１の領域にＤａｔａ１０１からＤａｔａ１２０のデータが記憶されて、第２のバッファメモリ１０９の第２の領域にはＤａｔａ１からＤａｔａ２０のデータがバッファされている状態となる。
【００６３】
さらに、第２のバッファメモリ１０９の第２の領域から第２の復号化手段１０７への転送が開始されしばらく経つと、図８（ｃ）のように、ＨＤＤ１０８内のＨＤにはデータがなくなり、第２のバッファメモリ１０９の第１の領域にＤａｔａ１０１からＤａｔａ１６０のデータが記憶されて、第２のバッファメモリ１０９の第２の領域にはＤａｔａ８１からＤａｔａ１００のデータがバッファされている状態となる。
【００６４】
さらに時間が経つと、図８（ｄ）のように第２のバッファメモリ１０９内には第１の領域のみにしかデータが存在しなくなり、第２の復号化手段１０７へは第２のバッファメモリ１０９の第１の領域から直接出力するように変更する。
【００６５】
また、第２の暗号化手段１０６および第２の復号化手段１０７に用いる暗号鍵はＤＶＤ−ＲＷ側と同様にＨＤＤ１０８に固有の情報を元に生成してもよいし、他の方法によっても構わないので、ここでは、具体的説明を省略する。
【００６６】
こうして、それほどバッファメモリを必要とすることなく、ＤＶＤ−ＲＷドライブ１０４へＤＶＤ−ＲＷを挿入された直後に記録開始された場合にでも、記録可能な装置を実現する。
【００６７】
以上説明したように実施の形態４によれば、ＤＶＤ−ＲＷドライブ１０４がＤＶＤ−ＲＷに記録を開始した後は、それ以降に第２の暗号化手段１０６から出力される第２の暗号化データの途中からのデータを第２のバッファメモリ１０９に蓄えるようにして、ＨＤＤ１０８に転送するのを停止し、ＨＤに一旦記録した第２の暗号化データが第２のバッファメモリ１０９を介して第２の復号化手段１０７に順次転送され、ＨＤに残存する第２の暗号化データがなくなったら、第２のバッファメモリ１０９に蓄えていた第２の暗号化データの途中からのデータを第２のバッファメモリ１０９から直接第２の復号化手段１０７に転送するので、装置の構成を変更することなく、電源投入直後や記録媒体挿入直後における記録の開始を実現できる。また、ＨＤへの記録再生を最低限度の時間のみ動作させればすむため、装置の消費電力がほとんど増加しない。
【００６８】
実施の形態５．
上記実施の形態１から４までは、記録再生手段を２つ以上持つデジタル記録再生装置について説明してきたが、以下に説明する本発明の実施の形態５は、記録媒体への記録手段および暗号化手段および復号化手段を１つしか持たず、バッファメモリが暗号化手段の後段に配置されているデジタル記録再生装置において、前回の記録時に記録媒体から読み取ったその記録媒体に固有の情報を記憶しておき、その記憶しておいた前回の情報を元に暗号化手段を動作させ、デジタル映像音声信号を暗号化して、バッファメモリに蓄積しておき、今回の記録媒体から新しいその記録媒体の固有の情報が読み取れたら前回の情報と比較して、合っていれば記録媒体へ記録を開始し、合っていなければ、バッファメモリに蓄積しておいたデータを破棄するものである。
【００６９】
図９は本発明の実施の形態５のデジタル記録再生装置のブロック構成図であり、図１と同様のものには同じ符号を付してある。図９に示すデジタル記録再生装置は、アナログ映像情報信号をＭＰＥＧ圧縮してデジタル映像音声信号に変換するＭＰＥＧエンコーダ１０１と、ＤＶＤ−ＲＷドライブ１０４に挿入されたディスクに固有の情報から暗号鍵（暗号キー）を生成して、入力信号を暗号化して出力する暗号化手段１３２と、暗号化された入力信号の暗号を上記暗号鍵によって解く復号化手段１３３と、挿入されたＤＶＤ−ＲＷに固有の情報を読み取り、その後そのＤＶＤ−ＲＷへの記録再生を行うＤＶＤ−ＲＷドライブ１０４と、ＤＶＤ−ＲＷドライブ１０４と暗号化手段１３２間、およびＤＶＤ−ＲＷドライブ１０４と復号化手段１３３間、およびＤＶＤ−ＲＷドライブ１０４と情報記憶手段１３０間のデータ送受信のタイミングを調整するバッファメモリ１３５と、ＭＰＥＧ圧縮されたデジタル映像音声信号をアナログ映像音声信号に復調するＭＰＥＧデコーダ１１０と、前回の記録時に挿入されたＤＶＤ−ＲＷからＤＶＤ−ＲＷドライブ１０４によって読み取られて第２のバッファメモリ１０９を介して転送されたそのＤＶＤ−ＲＷに固有の情報を記憶しておく情報記憶手段１３０とを備えている。なお、著作権保護が必要なＤＶＤ−ＲＷへの記録・再生を行う場合、ＣＰＲＭ規格での暗号化・復号化を行うことが必須であり、暗号化手段１３２および復号化手段１３３はＣＰＲＭ規格にしたがって暗号化および復号化を行う。
【００７０】
次に動作を説明する。図１０は本発明の実施の形態５においての記録開始時のフローチャートである。ＤＶＤ−ＲＷドライブ１０４にＤＶＤ−ＲＷを挿入した直後に、ステップ７０１にて装置の記録開始ボタン（図示せず）が押されると、ステップ７０２に移り、ＭＰＥＧエンコーダ１０１では入力されたアナログ映像音声信号をDVD Video RecordingフォーマットにしたがってＭＰＥＧ圧縮を行い、デジタル映像音声信号データとして暗号化手段１３２へ出力する。ステップ７０３において、暗号化手段１３２は前回の記録時に情報記憶手段１３０が記憶しておいた前回のＤＶＤ−ＲＷの固有の情報を元に生成された暗号鍵を用いてデジタル映像音声信号データを暗号化データに暗号化する。次にステップ７０４において、暗号化手段１３２から出力された暗号化データがバッファメモリ１３５へ順次蓄積されていく。
【００７１】
ただし、この時点ではＤＶＤ−ＲＷ挿入直後のため、ＤＶＤ−ＲＷの情報をまだ読み取ることができないし、データを書き込むことも不可能である。ステップ７０５において、ＤＶＤ−ＲＷドライブ１０４の準備が整い、挿入されたＤＶＤ−ＲＷに固有の情報が読み取れたかどうかを判別する。まだＤＶＤ−ＲＷの情報が読み取れなければ、ステップ７０６に移り、読み取れたならばステップ７０７に移る。ステップ７０６では、あらかじめ設定しておいた一定時間を越えてタイムアウトしても読み取れなかった場合には、異常なディスクなどが挿入された可能性があるため、記録動作を終了する。タイムアウトしていない場合にはステップ７０５に移り、引き続きＤＶＤ−ＲＷの情報を読み取れたかどうかの判別を継続する。
【００７２】
ステップ７０７では、今回新たにＤＶＤ−ＲＷから読み取れたそのＤＶＤ−ＲＷに固有な情報を、情報記憶手段１３０に記憶しておいた前回の情報と比較し、合っていればステップ７０８へ移り、合っていなければステップ７０９へ移る。なお、情報記憶手段１３０は電源が落とされたときにも対応できるように、不揮発性記憶装置であることが望ましい。
【００７３】
ステップ７０９では、前回とは異なるＤＶＤ−ＲＷが挿入されたと判断でき、前回の情報を元に暗号化したデータを今回のＤＶＤ−ＲＷに記録したとしても、ＤＶＤ−ＲＷに固有の情報から生成する再生時の暗号鍵が暗号化の際の暗号鍵と合わなくなってしまうため、暗号が解けず再生できないことになるので、バッファメモリ１３５に蓄積しておいた暗号化データは無効となるので破棄してしまう。次にステップ７１１に移り、今回挿入されたＤＶＤ−ＲＷからＤＶＤ−ＲＷドライブ１０４によって読み取られたそのＤＶＤ−ＲＷに固有の情報を情報記憶手段１３０に記憶し、次にステップ７０２に戻り、新たに記録の処理を再開して前回とは異なる今回のＤＶＤ−ＲＷへと記録を行う。
【００７４】
また、ステップ７０８においては、前回記録時と今回のＤＶＤ−ＲＷが同じであると判断できるため、バッファメモリ１３５に順次蓄積しておいた暗号化データをＤＶＤ−ＲＷへの書き込みタイミングを調整しながらＤＶＤ−ＲＷドライブ１０４への出力を開始し、ＤＶＤ−ＲＷへの記録を開始する。次にステップ７１０に移り、今回挿入されたＤＶＤ−ＲＷに固有の情報を情報記憶手段１３０に記憶して、次回の記録開始時に備えて、定常記録状態に移る。
【００７５】
以上説明したように実施の形態５によれば、１つの記録媒体（ＤＶＤ−ＲＷ）についての１つの記録再生手段（ＤＶＤ−ＲＷドライブ１０４）および１つの暗号化手段１３２および１つの復号化手段１３３をしか備えず、１つのバッファメモリ１３５がそれぞれ暗号化手段１３２の後段に配置されているデジタル記録再生装置において、電源投入直後や記録媒体挿入直後などにより、ＤＶＤ−ＲＷから固有の情報が読み取れず、その情報を元に暗号化を行う暗号化手段１３２の準備ができない間は、前回の記録時に前回のＤＶＤ−ＲＷから取得して記憶しておいた前回のＤＶＤ−ＲＷの固有情報を元に暗号化手段１３２を動作させ、デジタル映像音声信号を暗号化して、バッファメモリ１３５に蓄積しておき、今回のＤＶＤ−ＲＷから固有情報を読み取れたら、その固有情報と前回の固有情報とを比較して、合っていれば、バッファメモリ１３５に蓄積しておいた暗号化データの今回のＤＶＤ−ＲＷへの記録を開始し、合っていなければ、バッファメモリ１０３に蓄積しておいたデータを破棄するようにしたので、装置の構成を変更することなく、電源投入直後や記録媒体挿入直後における記録の開始を実現できる。また、もしＤＶＤ−ＲＷが交換されて前回の固有情報と今回読み取った固有情報とが異なる場合には、バッファメモリ１３５に蓄積したデータを破棄するようにするので、誤ったデータをＤＶＤ−ＲＷに書き込んでしまうことがない。
【００７６】
なお、本発明は、記録手段を２つ以上備え、かつ一方の記録手段において、記録を行う準備ができるまでに時間のかかるような機器、例えばメモリカードスロットを備えたＤＶＤ−ＲＷレコーダなどにも応用できる。
【００７７】
また、本発明は、記録手段が１つしかなく、かつ記録媒体に固有の情報を用いる著作権保護技術により記録媒体へ記録する機器で、記録手段への記録媒体の挿入直後などにおいて、記録媒体に固有の情報をすぐには得ることができないような機器に対しても応用できる。
【図面の簡単な説明】
【００７８】
【図１】この発明の実施の形態１，２，３，４に係るデジタル記録再生装置のブロック構成図である。
【図２】この発明の実施の形態１，２，３，４，５に係るＣＧＭＳ−Ａの説明図である。
【図３】この発明の実施の形態１，２，３，４に係るデジタル記録再生装置の動作を説明するブロック図である。
【図４】この発明の実施の形態１に係る記録開始時のフローチャートである。
【図５】この発明の実施の形態２に係る記録開始時のフローチャートである。
【図６】この発明の実施の形態３に係る記録開始時のフローチャートである。
【図７】この発明の実施の形態４に係る記録開始時のフローチャートである。
【図８】この発明の実施の形態４に係るバッファメモリとＨＤＤ内のデータ例の概略説明図である。
【図９】この発明の実施の形態５に係る記録再生装置のブロック構成図である。
【図１０】この発明の実施の形態５に係る記録開始時のフローチャートである。
【符号の説明】
【００７９】
１０１  ＭＰＥＧエンコーダ、  １０２  第１の暗号化手段、  １０３  第１の復号化手段、  １０４  ＤＶＤ−ＲＷドライブ、  １０５  第１のバッファメモリ、  １０６  第２の暗号化手段、  １０７  第２の復号化手段、  １０８  ＨＤＤ、  １０９  第２のバッファメモリ、  １１０  ＭＰＥＧデコーダ、  １２０  マトリックススイッチ、  １３０  情報記憶手段、  １３２  暗号化手段、  １３３  復号化手段、  １３５  バッファメモリ。
【図１】
2005216346.tif 000003
【図２】
2005216346.tif 000004
【図３】
2005216346.tif 000005
【図４】
2005216346.tif 000006
【図５】
2005216346.tif 000007
【図６】
2005216346.tif 000008
【図７】
2005216346.tif 000009
【図８】
2005216346.tif 000010
【図９】
2005216346.tif 000011
【図１０】
2005216346.tif 000012